(57)【要約】【課題】商品に光を照射する場合に、その商品に合った色度を簡単に見つけることができ、しかも簡単な構成で、低価格な光源装置を提供すること。【解決手段】発光部２と、この発光部２を駆動点灯する点灯回路３とで光源装置１を構成している。ベース２２の平面部２３に青色光ＬＥＤチップ２４Ｂ1 、２４Ｂ2 及び赤色光ＬＥＤチップ２５Ｒの３個のＬＥＤチップが配設されている。青色光ＬＥＤチップ２４Ｂ1 、２４Ｂ2 は、波長が４００〜４７０ｎｍの範囲にピークを持ち、赤色光ＬＥＤチップ２５Ｒは、波長が６２０〜６６０ｎｍの範囲にピークを持っている。これらの青色光ＬＥＤチップ２４Ｂ1 、２４Ｂ2 及び赤色光ＬＥＤチップ２５Ｒの上面側に配設される蛍光体２６は青色で励起し、赤色は透過する蛍光材料で構成されている。各ＬＥＤチップ２４Ｂ1 、２４Ｂ2 、２５Ｒに定格電流を通電することで、蛍光体２６を介して調色光を出射する。【選択図】図１
2015153945.tif 000002
【特許請求の範囲】
【請求項１】
発光スペクトルが異なることで発光色が異なる複数の光源を備え、該複数の光源を発光させて照明光を出射する光源装置において、
前記複数の光源は、青色光源と、赤色光源あるいは緑色光源、あるいは橙色光源であり、
前記青色光源と、赤色光源あるいは緑色光源、あるいは橙色光源には、青色光で励起する蛍光体（２６）が覆設されており、
前記青色光源と、前記赤色光源あるいは緑色光源、あるいは橙色光源と、前記蛍光体（２６）とで発光部（２）を構成し、
前記発光部（２）より出射させる所望の色度に対応させて、前記青色光源及び／または、前記赤色光源あるいは緑色光源、あるいは橙色光源の発光スペクトルの強度を設定する手段を備えている
ことを特徴とする光源装置。
【請求項２】
発光スペクトルが異なることで発光色が異なる複数の光源を備え、該複数の光源を発光させて照明光を出射する光源装置において、
前記複数の光源は、青色光源と、赤色光源あるいは緑色光源、あるいは橙色光源であり、
前記青色光源と、赤色光源あるいは緑色光源、あるいは橙色光源には、青色光で励起する蛍光体（２６）が覆設されており、
前記青色光源と、前記赤色光源あるいは緑色光源、あるいは橙色光源と、前記蛍光体（２６）とで発光部（２）を構成し、
前記前記青色光源及び／または、前記赤色光源あるいは緑色光源、あるいは橙色光源の発光スペクトルの強度を制御する制御手段を備えている
ことを特徴とする光源装置。
【請求項３】
前記青色光源は、波長が４００〜４７０ｎｍの範囲にピークを持つ青色光ＬＥＤチップ（２４Ｂ）であり、
前記赤色光源は、波長が６２０〜６６０ｎｍの範囲にピークを持つ赤色光ＬＥＤチップ（２５Ｒ）であり、
前記緑色光源は、波長が５００〜５６０ｎｍの範囲にピークを持つ緑色光ＬＥＤチップ（２８Ｇ）であり、
前記橙色光源は、波長が５９０〜６２０ｎｍの範囲にピークを持つ橙色光ＬＥＤチップ（２９Ｏ）であり、
前記青色光ＬＥＤチップ（２４Ｂ）と、赤色光ＬＥＤチップ（２５Ｒ）あるいは緑色光ＬＥＤチップ（２８Ｇ）、あるいは橙色光ＬＥＤチップ（２９Ｏ）に青色光で励起する蛍光体（２６）が覆設されて、
前記蛍光体（２６）の表面には調色光が出射されることを特徴とする請求項１または請求項２に記載の光源装置。
【請求項４】
前記制御手段は、青色光源及び、赤色光源あるいは緑色光源、あるいは橙色光源に印加する電圧値あるいは電流値を可変させていることを特徴とする請求項１〜請求項３のいずれかに記載の光源装置。
【請求項５】
中央に前記赤色光ＬＥＤチップ（２５Ｒ）あるいは緑色光ＬＥＤチップ（２８Ｇ）、あるいは橙色光ＬＥＤチップ（２９Ｏ）が配置され、
前記赤色光ＬＥＤチップ（２５Ｒ）あるいは緑色光ＬＥＤチップ（２８Ｇ）、あるいは橙色光ＬＥＤチップ（２９Ｏ）の両側に青色光ＬＥＤチップ（２４Ｂ1 ）（２４Ｂ2 ）がそれぞれ配置され、
前記青色光ＬＥＤチップ（２４Ｂ1 ）（２４Ｂ2 ）及び、赤色光ＬＥＤチップ（２５Ｒ）あるいは緑色光ＬＥＤチップ（２８Ｇ）、あるいは橙色光ＬＥＤチップ（２９Ｏ）は一直線状に配置されていることを特徴とする請求項２〜請求項４のいずれかに記載の光源装置。
【請求項６】
前記青色光ＬＥＤチップ（２４Ｂ1 ）（２４Ｂ2 ）及び前記赤色光ＬＥＤチップ（２５Ｒ）あるいは緑色光ＬＥＤチップ（２８Ｇ）、あるいは橙色光ＬＥＤチップ（２９Ｏ）は、１個あるいは複数であって、任意の箇所にランダムに配置していることを特徴とする請求項２〜請求項４のいずれかに記載の光源装置。
【請求項７】
前記青色光ＬＥＤチップ（２４Ｂ1 ）（２４Ｂ2 ）は並列接続され、この並列回路に第１の抵抗（Ｒｂ）が直列に接続され、
前記赤色光ＬＥＤチップ（２５Ｒ）あるいは緑色光ＬＥＤチップ（２８Ｇ）、あるいは橙色光ＬＥＤチップ（２９Ｏ）と第２の抵抗（Ｒｒ）が直列に接続されていることを特徴とする請求項２〜請求項６のいずれかに記載の光源装置。
【請求項８】
前記制御手段により前記青色光ＬＥＤチップ（２４Ｂ1 ）（２４Ｂ2 ）及び、赤色光ＬＥＤチップ（２５Ｒ）あるいは緑色光ＬＥＤチップ（２８Ｇ）、あるいは橙色光ＬＥＤチップ（２９Ｏ）の発光の強度を可変させることで、所望の色度となった時の青色光ＬＥＤチップ（２４Ｂ1 ）（２４Ｂ2 ）及び、赤色光ＬＥＤチップ（２５Ｒ）あるいは緑色光ＬＥＤチップ（２８Ｇ）、あるいは橙色光ＬＥＤチップ（２９Ｏ）に流れる順方向電流値と印加電圧とから前記第１の抵抗（Ｒｂ）及び前記第２の抵抗（Ｒｒ）の抵抗値をそれぞれ設定していることを特徴とする請求項７に記載の光源装置。
【請求項９】
請求項１〜請求項８のいずれかに記載の光源装置を備え、前記光源装置からの光を照明光としていることを特徴とする照明装置。
【請求項１０】
前記光源装置を複数配設して商品の種類に応じた色度を出射できることを特徴とする請求項９に記載の照明装置。
【請求項１１】
青色光ＬＥＤチップ（２４Ｂ）を複数個直列に接続した青色ＬＥＤ回路（６１）と、赤色光ＬＥＤチップ（２５Ｒ）を複数個直列に接続した赤色ＬＥＤ回路（６０）、あるいは緑色光ＬＥＤチップ（２８Ｇ）を複数個直列に接続した緑色光ＬＥＤ回路、あるいは橙色光ＬＥＤチップ（２９Ｏ）を複数個直列にした橙色光ＬＥＤチップ回路とで照明ユニット（４０）を構成し、
前記照明ユニット（４０）を複数個並列に配置し、
前記各照明ユニット（４０）からの青色ＬＥＤ回路（６１）を並列に接続した接続点と電源＋Ｖとの間には前記青色ＬＥＤ回路（６１）の各青色光ＬＥＤチップ（２４Ｂ）に流す電流値を可変させる青色発光スペクトル強度制御コントローラ（６６）を設け、
前記各照明ユニット（４０）からの赤色ＬＥＤ回路（６０）あるいは緑色光ＬＥＤ回路、あるいは橙色光ＬＥＤチップ回路を並列に接続した接続点と電源＋Ｖとの間には前記赤色ＬＥＤ回路（６０）の各赤色光ＬＥＤチップ（２５Ｒ）、あるいは緑色光ＬＥＤ回路の各緑色光ＬＥＤチップ（２８Ｇ）、あるいは橙色光ＬＥＤチップ回路の橙色光ＬＥＤチップ（２９Ｏ）に流す電流値を可変させる赤色発光スペクトル強度制御コントローラ（６５）、あるいは緑色発光スペクトル強度制御コントローラ、あるいは橙色発光スペクトル強度制御コントローラを設けていることを特徴とする請求項１〜請求項４のいずれかに記載の照明装置。
【請求項１２】
前記照明ユニット（４０）を並列に接続する代わりに、該照明ユニット（４０）を複数個直列に接続していることを特徴とする請求項１１に記載の照明装置。
【発明の詳細な説明】
【技術分野】
【０００１】
本発明は、発光色が異なる複数の光源を備えた光源装置及びこの光源装置を用いた照明装置に関するものである。
【背景技術】
【０００２】
住宅、オフィス、店舗等の室内の照明に用いられる光源として、白熱電球、蛍光灯、発光ダイオード（ＬＥＤ）等の光源が用いられている。このような光源からの人工光により物体を照らしたとき、その物体を見たときの物体の色の見え方が光源の種類により異なる。
これは、人工光に含まれている光の成分が太陽光（昼光）と比較して偏りがあるためである。昼光は、赤色、緑色及び青色の光が略均等に含まれているため、物体が昼光により照らされた場合、美しく自然らしい色の再現が可能である。
【０００３】
しかしながら、例えば、白熱電球を光源として用いた場合、青色及び緑色の光が少なく、赤色の光が多く含まれているため、物体の色は全体的に黄色っぽく見える。また、蛍光灯を光源として用いた場合では、赤色の光が少ないため、物体の色は全体的に青っぽく見える。
【０００４】
特に、最近では、ＬＥＤを光源とした、所謂、ＬＥＤ光源は、省エネルギーの観点及び急激な技術進歩、さらには、低価格化により、住宅、オフィス、店舗等の一般照明に急速に普及してきている。
また、ＬＥＤ光源においても、演色性に関して必ずしも高いとは限らず、そのため、演色性を高めるために例えば、下記に示す特許文献１が挙げられる。
【先行技術文献】
【特許文献】
【０００５】
【特許文献１】特開２０１０−１７６９９２号公報
【０００６】
上記特許文献１は、光源にＬＥＤを用いて、平均演色評価数Ｒａと特殊演色評価数Ｒ９〜Ｒ１５の各評価数の値も高めて演色性を向上させた白色光を得るようにしている。
【０００７】
すなわち、この特許文献１は、発光色が異なる複数の光源を備え、該複数の光源を発光させて照明光を出射する光源装置において、前記複数の光源は、蛍光体と該蛍光体を励起する励起光源とをそれぞれ有する青色光源、黄色光源及び赤色光源を少なくとも含み、特殊演色評価数を高めて演色性を向上させた前記照明光を得ることが可能なように構成したものである。
【０００８】
また、ＬＥＤを光源として、肌の見え方をより好適に向上させるようにしたものとして、例えば、下記に示す特許文献２が挙げられる。
【０００９】
【特許文献２】特開２０１２−１５５９０６号公報
【００１０】
上記特許文献２は、照明装置の発光部により、肌色の好ましさ指数ＰＳが８０〜１００、色偏差ｄｕｖが−０．０１〜０、色温度が３０００〜５０００Ｋとなるスペクトル範囲で光を発光するようにしているものである。
【発明の概要】
【発明が解決しようとする課題】
【００１１】
ところで、商品、例えば、肉、魚、衣服、口紅などに光を照射して、肉や魚であれば、新鮮で美味しそうに見えるように、また、衣服や口紅であれば、色彩が綺麗に見えるように光（調色光）を照射している。
現在、これらの商品に光を照射する照明装置として市販されているものは、メーカー側が所定の色度を予め設定していて、肉ならば、この色度の光を照射する照明装置として一般に市販されている。
【００１２】
これらの照明装置は、光の色度が予め設定されていて、ある程度は、例えば、肉が美味しそうに見えるようには成されている。また、商品の種類に応じて色度を異ならせた照明装置が提供されている。
しかしながら、商品に光をあてることで、ある程度の色を表現できるものの、店舗側から見れば、自分が思っている微妙な色の表現が出来ず、店舗側では色表現で満足出来ていないのが現状である。
【００１３】
上記特許文献１では、演色性を向上させた白色光を得るようにしたものであり、平均演色評価数や特殊演色評価数を用いていて、複雑な構成となっている。また、商品、例えば、肉に照射する最適な色度を作成するという技術思想も無い。
【００１４】
また、上記特許文献２においても、肌色の好ましさ指数ＰＳや、色偏差ｄｕｖといったパラメータを用いているために、複雑となり、しかも、上記特許文献１と同様に商品、例えば、肉に照射する最適な色度を作成するという技術思想も無い。
【００１５】
本発明は上述の問題点に鑑みて提供したものであって、商品に光を照射する場合に、その商品に合った色度を簡単に見つけることができ、しかも簡単な構成で、低価格な光源装置及びこの光源装置を用いた照明装置を提供することを目的としている。
【課題を解決するための手段】
【００１６】
そこで、本発明の請求項１に記載の光源装置では、発光スペクトルが異なることで発光色が異なる複数の光源を備え、該複数の光源を発光させて照明光を出射する光源装置において、
前記複数の光源は、青色光源と、赤色光源あるいは緑色光源、あるいは橙色光源であり、
前記青色光源と、赤色光源あるいは緑色光源、あるいは橙色光源には、青色光で励起する蛍光体２６が覆設されており、
前記青色光源と、前記赤色光源あるいは緑色光源、あるいは橙色光源と、前記蛍光体２６とで発光部２を構成し、
前記発光部２より出射させる所望の色度に対応させて、前記青色光源及び／または、前記赤色光源あるいは緑色光源、あるいは橙色光源の発光スペクトルの強度を設定する手段を備えていることを特徴としている。
【００１７】
請求項２に記載の光源装置では、発光スペクトルが異なることで発光色が異なる複数の光源を備え、該複数の光源を発光させて照明光を出射する光源装置において、
前記複数の光源は、青色光源と、赤色光源あるいは緑色光源、あるいは橙色光源であり、
前記青色光源と、赤色光源あるいは緑色光源、あるいは橙色光源には、青色光で励起する蛍光体２６が覆設されており、
前記青色光源と、前記赤色光源あるいは緑色光源、あるいは橙色光源と、前記蛍光体２６とで発光部２を構成し、
前記前記青色光源及び／または、前記赤色光源あるいは緑色光源、あるいは橙色光源の発光スペクトルの強度を制御する制御手段を備えている
ことを特徴としている。
【００１８】
請求項３に記載の光源装置では、前記青色光源は、波長が４００〜４７０ｎｍの範囲にピークを持つ青色光ＬＥＤチップ２４Ｂであり、
前記赤色光源は、波長が６２０〜６６０ｎｍの範囲にピークを持つ赤色光ＬＥＤチップ２５Ｒであり、
前記緑色光源は、波長が５００〜５６０ｎｍの範囲にピークを持つ緑色光ＬＥＤチップ２８Ｇであり、
前記橙色光源は、波長が５９０〜６２０ｎｍの範囲にピークを持つ橙色光ＬＥＤチップ２９Ｏであり、
前記青色光ＬＥＤチップ２４Ｂと、赤色光ＬＥＤチップ２５Ｒあるいは緑色光ＬＥＤチップ２８Ｇ、あるいは橙色光ＬＥＤチップ２９Ｏに青色光で励起する蛍光体２６が覆設されて、
前記蛍光体２６の表面には調色光が出射されることを特徴としている。
【００１９】
請求項４に記載の光源装置では、前記制御手段は、青色光源及び、赤色光源あるいは緑色光源、あるいは橙色光源に印加する電圧値あるいは電流値を可変させていることを特徴としている。
【００２０】
請求項５に記載の光源装置では、中央に前記赤色光ＬＥＤチップ２５Ｒあるいは緑色光ＬＥＤチップ２８Ｇ、あるいは橙色光ＬＥＤチップ２９Ｏが配置され、
前記赤色光ＬＥＤチップ２５Ｒあるいは緑色光ＬＥＤチップ２８Ｇ、あるいは橙色光ＬＥＤチップ２９Ｏの両側に青色光ＬＥＤチップ２４Ｂ1 、２４Ｂ2 がそれぞれ配置され、
前記青色光ＬＥＤチップ２４Ｂ1 、２４Ｂ2 及び、赤色光ＬＥＤチップ２５Ｒあるいは緑色光ＬＥＤチップ２８Ｇ、あるいは橙色光ＬＥＤチップ２９Ｏは一直線状に配置されていることを特徴としている。
【００２１】
請求項６に記載の光源装置では、前記青色光ＬＥＤチップ２４Ｂ1 、２４Ｂ2 及び前記赤色光ＬＥＤチップ２５Ｒあるいは緑色光ＬＥＤチップ２８Ｇ、あるいは橙色光ＬＥＤチップ２９Ｏは、１個あるいは複数であって、任意の箇所にランダムに配置していることを特徴としている。
【００２２】
請求項７に記載の光源装置では、前記青色光ＬＥＤチップ２４Ｂ1 、２４Ｂ2 は並列接続され、この並列回路に第１の抵抗Ｒｂが直列に接続され、
前記赤色光ＬＥＤチップ２５Ｒあるいは緑色光ＬＥＤチップ２８Ｇ、あるいは橙色光ＬＥＤチップ２９Ｏと第２の抵抗Ｒｒが直列に接続されていることを特徴としている。
【００２３】
請求項８に記載の光源装置では、前記制御手段により前記青色光ＬＥＤチップ２４Ｂ1 、２４Ｂ2 及び、赤色光ＬＥＤチップ２５Ｒあるいは緑色光ＬＥＤチップ２８Ｇ、あるいは橙色光ＬＥＤチップ２９Ｏの発光の強度を可変させることで、所望の色度となった時の青色光ＬＥＤチップ２４Ｂ1 、２４Ｂ2 及び、赤色光ＬＥＤチップ２５Ｒあるいは緑色光ＬＥＤチップ２８Ｇ、あるいは橙色光ＬＥＤチップ２９Ｏに流れる順方向電流値と印加電圧とから前記第１の抵抗Ｒｂ及び前記第２の抵抗Ｒｒの抵抗値をそれぞれ設定していることを特徴としている。
【００２４】
請求項９に記載の照明装置では、請求項１〜請求項８のいずれかに記載の光源装置を備え、前記光源装置からの光を照明光としていることを特徴としている。
【００２５】
請求項１０に記載の照明装置では、前記光源装置を複数配設して商品の種類に応じた色度を出射できることを特徴としている。
【００２６】
請求項１１に記載の照明装置では、青色光ＬＥＤチップ２４Ｂを複数個直列に接続した青色ＬＥＤ回路６１と、赤色光ＬＥＤチップ２５Ｒを複数個直列に接続した赤色ＬＥＤ回路６０、あるいは緑色光ＬＥＤチップ２８Ｇを複数個直列に接続した緑色光ＬＥＤ回路、あるいは橙色光ＬＥＤチップ２９Ｏを複数個直列にした橙色光ＬＥＤチップ回路とで照明ユニット４０を構成し、
前記照明ユニット４０を複数個並列に配置し、
前記各照明ユニット４０からの青色ＬＥＤ回路６１を並列に接続した接続点と電源＋Ｖとの間には前記青色ＬＥＤ回路６１の各青色光ＬＥＤチップ２４Ｂに流す電流値を可変させる青色発光スペクトル強度制御コントローラ６６を設け、
前記各照明ユニット４０からの赤色ＬＥＤ回路６０あるいは緑色光ＬＥＤ回路、あるいは橙色光ＬＥＤチップ回路を並列に接続した接続点と電源＋Ｖとの間には前記赤色ＬＥＤ回路６０の各赤色光ＬＥＤチップ２５Ｒ、あるいは緑色光ＬＥＤ回路の各緑色光ＬＥＤチップ２８Ｇ、あるいは橙色光ＬＥＤチップ回路の橙色光ＬＥＤチップ２９Ｏに流す電流値を可変させる赤色発光スペクトル強度制御コントローラ６５、あるいは緑色発光スペクトル強度制御コントローラ、あるいは橙色発光スペクトル強度制御コントローラを設けていることを特徴としている。
【００２７】
請求項１２に記載の照明装置では、前記照明ユニット４０を並列に接続する代わりに、該照明ユニット４０を複数個直列に接続していることを特徴としている。
【発明の効果】
【００２８】
本発明の請求項１に記載の光源装置によれば、複数の光源は、青色光源と、赤色光源あるいは緑色光源、あるいは橙色光源であり、前記青色光源と、赤色光源あるいは緑色光源、あるいは橙色光源には、青色光で励起する蛍光体２６が覆設されており、前記青色光源と、前記赤色光源あるいは緑色光源、あるいは橙色光源と、前記蛍光体２６とで発光部２を構成し、前記発光部２より出射させる所望の色度に対応させて、前記青色光源及び／または、前記赤色光源あるいは緑色光源、あるいは橙色光源の発光スペクトルの強度を設定するようにしているので、商品に光を照射する場合に、その商品に合った色度を出射させることができる。
【００２９】
請求項２に記載の光源装置によれば、複数の光源は、青色光源と、赤色光源あるいは緑色光源、あるいは橙色光源であり、前記青色光源と、赤色光源あるいは緑色光源、あるいは橙色光源には、青色光で励起する蛍光体２６が覆設されており、前記青色光源と、前記赤色光源あるいは緑色光源、あるいは橙色光源と、前記蛍光体２６とで発光部２を構成し、前記前記青色光源及び／または、前記赤色光源あるいは緑色光源、あるいは橙色光源の発光スペクトルの強度を制御する制御手段を備えているものであり、この制御手段により青色光源及び、赤色光源あるいは緑色光源の発光の強さを可変させることで、商品に光を照射する場合に、その商品に合った色度を簡単に見つけることができ、しかも簡単な構成で、低価格な光源装置を提供することができる。
【００３０】
請求項３に記載の光源装置によれば、青色光源は、波長が４００〜４７０ｎｍの範囲にピークを持つ青色光ＬＥＤチップ２４Ｂであり、前記赤色光源は、波長が６２０〜６６０ｎｍの範囲にピークを持つ赤色光ＬＥＤチップ２５Ｒであり、前記緑色光源は、波長が５００〜５６０ｎｍの範囲にピークを持つ緑色光ＬＥＤチップ２８Ｇであり、前記橙色光源は、波長が５９０〜６２０ｎｍの範囲にピークを持つ橙色光ＬＥＤチップ２９Ｏであり、前記青色光ＬＥＤチップ２４Ｂと、赤色光ＬＥＤチップ２５Ｒあるいは緑色光ＬＥＤチップ２８Ｇ、あるいは橙色光ＬＥＤチップ２９Ｏに青色光で励起する蛍光体２６が覆設されて、前記蛍光体２６の表面には調色光が出射されることで、商品に光を照射する場合に、その商品に合った色度を簡単に見つけることができ、しかも簡単な構成で、低価格な光源装置を提供することができる。
【００３１】
請求項４に記載の光源装置によれば、制御手段は、青色光源及び、赤色光源あるいは緑色光源、あるいは橙色光源に印加する電圧値あるいは電流値を可変させていることで、制御手段を簡素化でき、しかも、単に青色光源及び、赤色光源あるいは緑色光源に印加する電圧値あるいは電流値を可変させるだけで、所望の色度を出射することができる。
【００３２】
請求項５に記載の光源装置によれば、中央に前記赤色光ＬＥＤチップ２５Ｒあるいは緑色光ＬＥＤチップ２８Ｇ、あるいは橙色光ＬＥＤチップ２９Ｏが配置され、
前記赤色光ＬＥＤチップ２５Ｒあるいは緑色光ＬＥＤチップ２８Ｇ、あるいは橙色光ＬＥＤチップ２９Ｏの両側に青色光ＬＥＤチップ２４Ｂ1 、２４Ｂ2 がそれぞれ配置され、
前記青色光ＬＥＤチップ２４Ｂ1 、２４Ｂ2 及び、赤色光ＬＥＤチップ２５Ｒあるいは緑色光ＬＥＤチップ２８Ｇ、あるいは橙色光ＬＥＤチップ２９Ｏは一直線状に配置されていることで、青色光と赤色光あるいは緑色光、あるいは橙色光とをバランスよく出射することができる。
【００３３】
請求項６に記載の光源装置によれば、青色光ＬＥＤチップ２４Ｂ1 、２４Ｂ2 及び前記赤色光ＬＥＤチップ２５Ｒあるいは緑色光ＬＥＤチップ２８Ｇ、あるいは橙色光ＬＥＤチップ２９Ｏは、１個あるいは複数であって、任意の箇所にランダムに配置していることで、多数のＬＥＤチップを配置する場合でも、配置が容易であり、また、光源装置の製造時間も短時間で行なうことができる。
【００３４】
請求項７に記載の光源装置によれば、青色光ＬＥＤチップ２４Ｂ1 、２４Ｂ2 は並列接続され、この並列回路に第１の抵抗Ｒｂが直列に接続され、前記赤色光ＬＥＤチップ２５Ｒあるいは緑色光ＬＥＤチップ２８Ｇ、あるいは橙色光ＬＥＤチップ２９Ｏと第２の抵抗Ｒｒが直列に接続されているので、簡単な回路構成で、所望の色度を出射することができ、しかも、回路構成が簡素なためコストも安価にすることができる。
【００３５】
請求項８に記載の光源装置によれば、制御手段により前記青色光ＬＥＤチップ２４Ｂ1 、２４Ｂ2 及び、赤色光ＬＥＤチップ２５Ｒあるいは緑色光ＬＥＤチップ２８Ｇ、あるいは橙色光ＬＥＤチップ２９Ｏの発光の強度を可変させることで、所望の色度となった時の青色光ＬＥＤチップ２４Ｂ1 、２４Ｂ2 及び、赤色光ＬＥＤチップ２５Ｒあるいは緑色光ＬＥＤチップ２８Ｇ、あるいは橙色光ＬＥＤチップ２９Ｏに流れる順方向電流値と印加電圧とから前記第１の抵抗Ｒｂ及び前記第２の抵抗Ｒｒの抵抗値をそれぞれ設定していることで、所望の色度の時の直流電圧の電圧値と回路に流れる電流値とから、所望の色度を得る際の第１の抵抗Ｒｂ及び第２の抵抗Ｒｒの最適の抵抗値を算出することができる。この抵抗値にて第１の抵抗Ｒｂ及び第２の抵抗Ｒｒを固定値とすることで、所望の色度を固定した状態で出射することができる。
【００３６】
請求項９に記載の照明装置によれば、請求項１〜請求項８のいずれかに記載の光源装置を備え、前記光源装置からの光を照明光としていることにより、コストが安価で、所望の色度を照明光とした照明装置を提供することができる。
【００３７】
請求項１０に記載の照明装置によれば、光源装置を複数横方向に配設して商品の種類に応じた色度を出射できることで、どのような種類の商品でも商品に応じて所望の色度を出射できる照明装置を提供することができる。
【００３８】
請求項１１に記載の照明装置によれば、青色光ＬＥＤチップ２４Ｂを複数個直列に接続した青色ＬＥＤ回路６１と、赤色光ＬＥＤチップ２５Ｒを複数個直列に接続した赤色ＬＥＤ回路６０、あるいは緑色光ＬＥＤチップ２８Ｇを複数個直列に接続した緑色光ＬＥＤ回路、あるいは橙色光ＬＥＤチップ２９Ｏを複数個直列にした橙色光ＬＥＤチップ回路とで照明ユニット４０を構成し、前記照明ユニット４０を複数個並列に配置し、
前記各照明ユニット４０からの青色ＬＥＤ回路６１を並列に接続した接続点と電源＋Ｖとの間には前記青色ＬＥＤ回路６１の各青色光ＬＥＤチップ２４Ｂに流す電流値を可変させる青色発光スペクトル強度制御コントローラ６６を設け、
前記各照明ユニット４０からの赤色ＬＥＤ回路６０あるいは緑色光ＬＥＤ回路、あるいは橙色光ＬＥＤチップ回路を並列に接続した接続点と電源＋Ｖとの間には前記赤色ＬＥＤ回路６０の各赤色光ＬＥＤチップ２５Ｒ、あるいは緑色光ＬＥＤ回路の各緑色光ＬＥＤチップ２８Ｇ、あるいは橙色光ＬＥＤチップ回路の橙色光ＬＥＤチップ２９Ｏに流す電流値を可変させる赤色発光スペクトル強度制御コントローラ６５、あるいは緑色発光スペクトル強度制御コントローラ、あるいは橙色発光スペクトル強度制御コントローラを設けているものであり、各コントローラを同時に、あるいは個別に制御することで、各照明ユニット４０からは所望の色度を得た調色光を商品の種類に応じて照射することができる。
また、各コントローラにて一括して制御していることで、照明ユニット４０の数に関係なく、２台のコントローラにて所望の色度の調色光を得ることができる。
【００３９】
請求項１２に記載の照明装置によれば、照明ユニット４０を並列に接続する代わりに、該照明ユニット４０を複数個直列に接続していることで、照明ユニット４０を複数個並列に接続している場合と同様の効果を奏するものである。
【図面の簡単な説明】
【００４０】
【図１】本発明の第１の実施の形態における光源装置の概略構成図である。
【図２】本発明の第１の実施の形態における発光部の平面図である。
【図３】本発明の第１の実施の形態におけるＬＥＤチップの他の配置例を示す発光部の平面図である。
【図４】本発明の第１の実施の形態における光源装置の具体回路図である。
【図５】本発明の第１の実施の形態における他の制御手段の場合の光源装置の具体回路図である。
【図６】本発明の第１の実施の形態におけるＬＥＤチップの順方向電流ＩＦによる波長の変化を示す図である。
【図７】本発明の第１の実施の形態におけるＬＥＤチップの配置例を示す説明図である。
【図８】本発明の第１の実施の形態におけるＬＥＤチップの配置例を示す説明図である。
【図９】本発明の第１の実施の形態におけるＬＥＤチップを多数配置した場合の例を示す説明図である。
【図１０】本発明の第１の実施の形態におけるＬＥＤチップを多数配置した場合の例を示す説明図である。
【図１１】本発明の第１の実施の形態における点灯回路に交流電源を用いた場合の説明図である。
【図１２】本発明の第１の実施の形態における点灯回路に定電流の直流電源を用いた場合の説明図である。
【図１３】本発明の第１の実施の形態における点灯回路にパルス電源を用いた場合の説明図である。
【図１４】本発明の第１の実施の形態における調色光スペクトルを示す図である。
【図１５】本発明の第１の実施の形態におけるＬＥＤチップに流す電流値による色度変化特性を示す図である。
【図１６】本発明の第２の実施の形態におけるＬＥＤチップの配置例を示す図である。
【図１７】本発明の第２の実施の形態におけるＬＥＤチップの他の配置例を示す図である。
【図１８】本発明の第２の実施の形態における調色光スペクトルを示す図である。
【図１９】本発明の第２の実施の形態におけるＬＥＤチップに流す電流値による色度変化特性を示す図である。
【図２０】本発明の第３の実施の形態におけるＬＥＤチップの配置例を示す図である。
【図２１】本発明の第３の実施の形態におけるＬＥＤチップの他の配置例を示す図である。
【図２２】本発明の実施の形態における複数の光源装置を用いた照明装置の底面図である。
【図２３】本発明の実施の形態における複数の光源装置を用いた照明装置の斜視図である。
【図２４】本発明の実施の形態における複数の光源装置を用いた照明装置の具体回路図である。
【図２５】本発明の実施の形態における複数の照明装置をショーケース内に配置した例を示す図である。
【図２６】本発明の実施の形態におけるＬＥＤチップだけで構成した照明ユニットの他の例を示す図である。
【図２７】本発明の実施の形態におけるＬＥＤチップだけで構成した照明ユニットを並列に複数個接続した場合の図である。
【発明を実施するための形態】
【００４１】
（第１の実施の形態）
以下、本発明の第１の実施の形態を図面を参照して詳細に説明する。図１は本発明の光源装置１の概略構成図を示しており、この光源装置１は、発光部２と、この発光部２を駆動点灯する点灯回路３とで構成されている。
【００４２】
図１及び図２に示すように、発光部２は、上面に凹部２１を有するベース２２と、このベース２２の平面部２３の上面に配設されている３個のＬＥＤチップ２４Ｂ1 、２４Ｂ2 、２５Ｒとで構成されている。
中央には赤色光ＬＥＤチップ２５Ｒが配置され、この赤色ＬＥＤチップ２５Ｒの両側に青色光ＬＥＤチップ２４Ｂ1 、２４Ｂ2 が配置されている。この３個の赤色光ＬＥＤチップ２５Ｒ及び青色光ＬＥＤチップ２４Ｂ1 、２４Ｂ2 は、一直線状に配置されている。これにより、青色光と赤色光とをバランスよく出射することができる。
【００４３】
なお、図２では３個のＬＥＤチップを一直線状に配置しているが、図３に示すように、略三角状に配置するようにしても良い。
また、３個のＬＥＤチップの配置構成は、特に限定されるものではなく、任意の位置に配置しても、出射された光の色度を任意に可変でき、実使用において特に問題はない。
【００４４】
また、光源装置１の発光部２の構成を凹部２１を有するベース２２としていたが、ベース２２を平板状にして、青色光ＬＥＤチップ２４Ｂ1 、２４Ｂ2 及び赤色光ＬＥＤチップ２５Ｒの上面側に蛍光体２６を配設するようにしても良い。
【００４５】
ここで、青色光源としての上記青色光ＬＥＤチップ２４Ｂ1 、２４Ｂ2 は、波長が４００〜４７０ｎｍの範囲にピークを持つ発光スペクトルを有し、赤色光源としての赤色光ＬＥＤチップ２５Ｒは、波長が６２０〜６６０ｎｍの範囲にピークを持つ発光スペクトルを有している。
そして、これらの青色光ＬＥＤチップ２４Ｂ1 、２４Ｂ2 及び赤色光ＬＥＤチップ２５Ｒの上面側に配設される蛍光体２６は青色で励起する蛍光材料で構成されている。
【００４６】
これら青色光ＬＥＤチップ２４Ｂ1 、２４Ｂ2 及び赤色光ＬＥＤチップ２５Ｒに任意の電流を流すことで、蛍光体２６を介して所望の色度の調色光を出射するするようになっている。
ここで、商品、例えば、肉、魚、衣服、口紅などに光を照射して、肉や魚であれば、新鮮で美味しそうに見えるように、また、衣服や口紅であれば、色彩が綺麗に見えるように商品の色彩に合わせて出射する光を調色光と定義する。
【００４７】
図４は上記点灯回路３の具体回路図を示しており、２個の青色光ＬＥＤチップ２４Ｂ1 、２４Ｂ2 は並列接続されていて、抵抗Ｒｂを介して接地されている。また、赤色光ＬＥＤチップ２５Ｒは抵抗Ｒｒを介して接地されている。
青色光ＬＥＤチップ２４Ｂ1 、２４Ｂ2 側には直流電源Ｖ１が接続され、また、赤色光ＬＥＤチップ２５Ｒ側には直流電源Ｖ２が接続されている。２つの直流電源Ｖ１、Ｖ２は、直流電圧が可変となっていて、任意の直流電圧が無段階で青色光ＬＥＤチップ２４Ｂ1 、２４Ｂ2 、赤色光ＬＥＤチップ２５Ｒに印加されるようになっている。
【００４８】
直流電源Ｖ１、Ｖ２からの直流電圧を任意に可変させることで、抵抗Ｒｂ、Ｒｒとの関係で、青色光ＬＥＤチップ２４Ｂ1 、２４Ｂ2 及び赤色光ＬＥＤチップ２５Ｒに流れる順方向電流ＩＦを任意に可変させることができる。
この直流電圧を任意に可変させるのを制御手段として、青色光源及び赤色光源の発光スペクトルの強度を制御しているものである。
【００４９】
図６は青色光ＬＥＤチップ２４Ｂ1 、２４Ｂ2 及び赤色光ＬＥＤチップ２５Ｒに流す順方向電流ＩＦを、１０ｍＡ、３０ｍＡ、５０ｍＡ、６０ｍＡとした場合の順方向電流ＩＦによる波長の変化を示している。青色光ＬＥＤチップ２４Ｂ1 、２４Ｂ2 及び赤色光ＬＥＤチップ２５Ｒには同時に同じ電流を流した場合である。
【００５０】
直流電源Ｖ１、Ｖ２の電圧をそれぞれ可変させることで、色温度を２７００Ｋ〜６０００Ｋへと連続して任意の色度を発光部２から発光させることが可能となる。
例えば、青色光ＬＥＤチップ２４Ｂ1 、２４Ｂ2 に流す電流値を少なくして赤色光ＬＥＤチップ２５Ｒに流す電流値を多くすることで、発光部２は赤色を発光させることができる。また、赤色光ＬＥＤチップ２５Ｒに流す電流値を少なくし、青色光ＬＥＤチップ２４Ｂ1 、２４Ｂ2 に流す電流値を多くしていくことで、発光部２からは赤色を少なくして、白色がかった色や赤色を抑えた他の色を任意に連続して可変させながら発光部２より発光（出射）させることができる。
【００５１】
ここで、所望の色度を得たい場合、直流電源Ｖ１、Ｖ２を可変して直流電圧を可変していき、発光部２が発光している所望の色度となった場合に、抵抗Ｒｂ、Ｒｒに流れる電流値をそれぞれの回路に介装している電流計３１、３２にて電流値を計測する。
そして、発光部２の青色光ＬＥＤチップ２４Ｂ1 、２４Ｂ2 及び赤色光ＬＥＤチップ２５Ｒに流す電流値と、定電圧を供給する直流電源Ｖ１、Ｖ２の電圧値から両抵抗Ｒｂ、Ｒｒの抵抗値を算出する。
【００５２】
そして、算出した抵抗値を固定値として抵抗Ｒｒ、Ｒｂを使用し、直流電源Ｖ１、Ｖ２は定電圧電源とする。これにより、一度設定（抵抗値を固定した）した抵抗値にて、所望の色度にて発光部２より出射させることができる。
【００５３】
このように、所望の色度を得たい場合の両抵抗Ｒｂ、Ｒｒの抵抗値を算出することができ、算出した両抵抗Ｒｂ、Ｒｒの抵抗値の抵抗に置き替えることで、所望あるいは任意の得たい固定した色度の発光部２を得ることができる。
また、直流電源Ｖ１、Ｖ２の直流電圧を可変させるだけで、制御手段として簡素化でき、しかも、単に青色光ＬＥＤチップ２４Ｂ1 、２４Ｂ2 及び赤色光ＬＥＤチップ２５Ｒに印加する直流電圧を可変させるだけで、所望の色度の光を出射することができる。
【００５４】
なお、色度を可変させるのに、先の実施形態では、直流電源Ｖ１、Ｖ２を可変させていたが、図５に示すように、直流電源Ｖ１、Ｖ２の電圧値を固定し、抵抗Ｒｂ、Ｒｒを可変抵抗（制御手段）にして抵抗Ｒｂ、Ｒｒの抵抗値を可変させることで、上記と同様に任意の色度を発光させることができる。
また、その際の青色光ＬＥＤチップ２４Ｂ1 、２４Ｂ2 及び赤色光ＬＥＤチップ２５Ｒに流れる電流値を計測し、抵抗Ｒｂ、Ｒｒの抵抗値を算出することができる。
【００５５】
また、発光部２を構成しているＬＥＤチップは、２個の青色光ＬＥＤチップ２４Ｂ1 、２４Ｂ2 と、１個の赤色光ＬＥＤチップ２５Ｒとしていたが、１個の青色光ＬＥＤチップ２４Ｂと、１個の赤色光ＬＥＤチップ２５Ｒとで構成するようにしても良い。
【００５６】
このように本実施形態では、直流電源Ｖ１、Ｖ２の直流電圧を可変させたり、抵抗Ｒｂ、Ｒｒを可変させることで、商品に光を照射する場合に、その商品に合った色度を簡単に見つけることができ、しかも簡単な構成で、低価格な光源装置を提供することができる。
【００５７】
ところで、図７は、赤色光ＬＥＤチップ２５Ｒと青色光ＬＥＤチップ２４Ｂとの他の配置構成例を示しており、赤色光ＬＥＤチップ２５Ｒと青色光ＬＥＤチップ２４Ｂを略菱形形状に配置した例を示している。
また、図８は、赤色光ＬＥＤチップ２５Ｒと青色光ＬＥＤチップ２４Ｂの更に他の配置構成例を示している。かかる場合は、合計で５つのＬＥＤチップ（赤色光ＬＥＤチップ２５Ｒと青色光ＬＥＤチップ２４Ｂ）を用いた場合である。
【００５８】
図９は、ＬＥＤチップ（赤色光ＬＥＤチップ２５Ｒと青色光ＬＥＤチップ２４Ｂ）をマトリックス状に配置した構成例を示し、また、図１０はＬＥＤチップ（赤色光ＬＥＤチップ２５Ｒと青色光ＬＥＤチップ２４Ｂ）を少しずらして配置した構成例を示している。
このように、ＬＥＤチップ（赤色光ＬＥＤチップ２５Ｒと青色光ＬＥＤチップ２４Ｂ）の使用個数は特に限定されるものではなく、任意の個数のＬＥＤチップを用いても良いものである。
【００５９】
また、青色光ＬＥＤチップ２４Ｂ、赤色光ＬＥＤチップ２５Ｒの数や、配置構成は任意であり、特に、多数の赤色光ＬＥＤチップ２５Ｒと青色光ＬＥＤチップ２４Ｂを用いる場合は、ランダムに配置するようにしても良い。
【００６０】
ここで、図９及び図１０において、同じ発行色（例えば、青色）のＬＥＤチップを同じ列に配置し、下段の列には他の発行色（例えば、赤色）を配置しているが、同じ列に異なる発行色を任意に配置したり、全体的に赤色光ＬＥＤチップ２５Ｒと青色光ＬＥＤチップ２４Ｂとをアットランダムに配置するようにしても良い。
【００６１】
図１１は点灯回路３の他の実施形態を示し、交流電源１１から青色光ＬＥＤチップ２４Ｂに電源を供給し、他の交流電源１２から赤色光ＬＥＤチップ２５Ｒに電源を供給するようにしたものである。交流電源１１、１２の出力電圧をそれぞれ可変させることで、赤色光ＬＥＤチップ２５Ｒと青色光ＬＥＤチップ２４Ｂに流す電流値を可変させて、任意で所望の色度の光を出射することができる。
【００６２】
また、図１２は点灯回路３の電源を直流電源としたものであり、直流電源１３からの定電流を青色光ＬＥＤチップ２４Ｂに供給し、直流電源１４からの定電流を赤色光ＬＥＤチップ２５Ｒに供給するようにしたものである。直流電源１３、１４からの定電流の値をそれぞれ可変させることで、赤色光ＬＥＤチップ２５Ｒと青色光ＬＥＤチップ２４Ｂに流す電流値を可変させて、任意で所望の色度の光を出射することができる。
【００６３】
図１３は、点灯回路３の電源をパルス電源としたものであり、パルス電源１５から青色光ＬＥＤチップ２４Ｂにパルスを供給し、パルス電源１６から赤色光ＬＥＤチップ２５Ｒにパルスを供給するようにしたものである。パルス電源１５、１６から出力されるパルスのデューティ比を可変させることで、赤色光ＬＥＤチップ２５Ｒと青色光ＬＥＤチップ２４Ｂに流す電流値を可変させて、任意で所望の色度の光を出射することができる。
【００６４】
図１４は、上記のように構成した光源装置１の発光部２から発光されるスペクトルを示しており、赤色光ＬＥＤチップ２５Ｒと青色光ＬＥＤチップ２４Ｂに上記蛍光体２６を合わせた場合の調色光スペクトルである。
【００６５】
また、図１５は、各赤色光ＬＥＤチップ２５Ｒと青色光ＬＥＤチップ２４Ｂに流す電流値による色度変化特性を示し、図示するように任意且つ所望の色度を得ることができる光源装置１を提供することができる。
【００６６】
図６に示すように、赤色光ＬＥＤチップ２５Ｒと青色光ＬＥＤチップ２４Ｂの電流値を可変させることで、発光スペクトルの強度が変化し、この発光スペクトルの強度の変化により、図１５に示すように、所望の色度を得ることができる。
なお、図１５では、赤色光ＬＥＤチップ２５Ｒと青色光ＬＥＤチップ２４Ｂに流す電流値を３ｍＡ〜２７ｍＡとした場合であり、図６では、６０ｍＡまで流しているが、赤色光ＬＥＤチップ２５Ｒと青色光ＬＥＤチップ２４Ｂに流す電流値を可変させて所望の色度を得るという技術思想は同じである。
【００６７】
（第２の実施の形態）
次に、第２の実施形態について説明する。この実施形態では、図１６に示すように、前記赤色光ＬＥＤチップ２５Ｒに代えて、緑色光ＬＥＤチップ２８Ｇを配置した実施形態を示しているものであり、中央に緑色光ＬＥＤチップ２８Ｇを配置し、この緑色光ＬＥＤチップ２８Ｇの両側に青色光ＬＥＤチップ２４Ｂを配置しているものである。緑色光ＬＥＤチップ２８Ｇは、５００〜５６０ｎｍの範囲にピークを持つ発光スペクトルを有している。
青色光ＬＥＤチップ２４Ｂと緑色光ＬＥＤチップ２８Ｇとを一直線状に配置していることで、赤色光を緑色光をバランスよく出射することができる。
【００６８】
また、図１７は青色光ＬＥＤチップ２４Ｂと緑色光ＬＥＤチップ２８Ｇを略三角形状に配置したものであり、また、１個の青色光ＬＥＤチップ２４Ｂと、１個の緑色光ＬＥＤチップ２８Ｇとで構成するようにしても良い。
また、青色光ＬＥＤチップ２４Ｂと緑色光ＬＥＤチップ２８Ｇの配置形態や個数は先の実施形態と同様に任意である。
【００６９】
ここで、青色光ＬＥＤチップ２４Ｂと緑色光ＬＥＤチップ２８Ｇからなる発光部２を駆動点灯する点灯回路３は、先の実施形態と同様であり、上述した点灯回路３を任意に用いることができる。
また、先の実施形態と同様に所望の色度を得た場合における各ＬＥＤチップに流す電流値が決定された場合には、ＬＥＤチップに供給する電源側の電圧、電流を固定し、ＬＥＤチップに流す電流値から抵抗値を決定し、固定するようにしている。
【００７０】
青色光ＬＥＤチップ２４Ｂの発光強度を抑えることで、発光部２は緑色がかった色度を得ることができ、また、緑色光ＬＥＤチップ２８Ｇの発光強度を抑えることで、青色がかった色度を得ることができる。赤色光ＬＥＤチップ２５Ｒと緑色光ＬＥＤチップ２８Ｇに流す電流値をそれぞれ任意に可変させることで、任意かつ所望の色度を得ることができる。
【００７１】
図１８は、青色光ＬＥＤチップ２４Ｂと緑色光ＬＥＤチップ２８Ｇと蛍光体２６による調色光スペクトルを示しており、また、図１９は、青色光ＬＥＤチップ２４Ｂと緑色光ＬＥＤチップ２８Ｇへの電流値の変化による色度変化特性を示している。
図１９に示すように、本実施形態においても赤色がかった色度部分を除いて青色発光と緑色発光の組み合わせによる任意かつ所望の色度を得ることができる。
【００７２】
（第３の実施の形態）
次に、第３の実施形態について説明する。この実施形態では、図２２に示すように、図２と比較して前記赤色光ＬＥＤチップ２５Ｒに代えて、橙色光ＬＥＤチップ２９Ｏを配置した実施形態を示しているものである。中央に橙色光ＬＥＤチップ２９Ｏを配置し、この橙色光ＬＥＤチップ２９Ｏの両側に青色光ＬＥＤチップ２４Ｂを配置しているものである。橙色光ＬＥＤチップ２９Ｏは、５９０〜６２０ｎｍの範囲にピークを持つ発光スペクトルを有している。
青色光ＬＥＤチップ２４Ｂと橙色光ＬＥＤチップ２９Ｏとを一直線状に配置していることで、赤色光を橙色光をバランスよく出射することができる。
【００７３】
また、図２３は青色光ＬＥＤチップ２４Ｂと橙色光ＬＥＤチップ２９Ｏを略三角形状に配置したものであり、また、１個の青色光ＬＥＤチップ２４Ｂと、１個の橙色光ＬＥＤチップ２９Ｏとで構成するようにしても良い。
また、青色光ＬＥＤチップ２４Ｂと橙色光ＬＥＤチップ２９Ｏの配置形態や個数は先の実施形態と同様に任意である。
【００７４】
ここで、青色光ＬＥＤチップ２４Ｂと橙色光ＬＥＤチップ２９Ｏからなる発光部２を駆動点灯する点灯回路３は、先の実施形態と同様であり、上述した点灯回路３を任意に用いることができる。
また、先の実施形態と同様に所望の色度を得た場合における各ＬＥＤチップに流す電流値が決定された場合には、ＬＥＤチップに供給する電源側の電圧、電流を固定し、ＬＥＤチップに流す電流値から抵抗値を決定し、固定するようにしている。
【００７５】
青色光ＬＥＤチップ２４Ｂの発光強度を抑えることで、発光部２は橙色がかった色度を得ることができ、また、橙色光ＬＥＤチップ２９Ｏの発光強度を抑えることで、青色がかった色度を得ることができる。橙色光ＬＥＤチップ２９Ｏと緑色光ＬＥＤチップ２８Ｇに流す電流値をそれぞれ任意に可変させることで、任意かつ所望の色度を得ることができる。
【００７６】
ここで、先の第１、第２、第３の実施の形態において、図４及び図５に示すように、所望の色度を得たい場合の両抵抗Ｒｂ、Ｒｒの抵抗値を算出して、算出した両抵抗Ｒｂ、Ｒｒの抵抗値の抵抗に置き替えて抵抗値を固定することで、所望あるいは任意の得たい固定した色度の発光部２を得ることができる。この固定した抵抗値の抵抗Ｒｂ、Ｒｒを、請求項１に記載している、青色光源及び／または、赤色光源あるいは緑色光源の発光スペクトルの強度を設定する手段に対応している。
【００７７】
図２２は上記光源装置１を複数、例えば６つの光源装置１を用いて構成した照明ユニット４０の底面図を示し、図２３はこの照明ユニット４０の斜視図を示している。図２２に示すように、この照明ユニット４０では、６つの光源装置１を長手方向に所定の間隔毎に配設している。
なお、図２２では照明ユニット４０の下面に配される透光性のカバーは図示省略しているが、カバーを設けずに照明ユニット４０を構成するようにしても良い。また、図２２の例では、光源装置１を６つとしているが数に限定されるものではなく、任意の数の光源装置１を用いても良い。
【００７８】
また、図２２では光源装置１を直線状に配置しているが、並列に配置しても良く、光源装置１の配置の形態は特に限定されるものではない。
【００７９】
図２４はこの照明ユニット４０の回路図を示しており、各発光部２の並列接続されている青色光ＬＥＤチップ２４Ｂ1 、２４Ｂ2 は、抵抗Ｒ６〜Ｒ１０を介して直列に接続されている。また、各赤色光ＬＥＤチップ２５Ｒは、抵抗Ｒ１〜Ｒ５を介して直列接続されている。
照明ユニット４０の一方には、青色光ＬＥＤチップ２４Ｂ1 、２４Ｂ2 に直流電圧＋Ｂが印加される電源端子４１ａが設けられていて、この電源端子４１ａは渡り配線４２を介して照明ユニット４０の他方に設けた電源端子４１ｂと接続されている。
【００８０】
また、照明ユニット４０の一方には、赤色光ＬＥＤチップ２５Ｒに直流電圧＋Ｒが印加される電源端子４３ａが設けられており、この電源端子４３ａは渡り配線４４を介して照明ユニット４０の他方に設けた電源端子４３ｂと接続されている。
さらに、照明ユニット４０の一方には、アース端子４５ａが設けられていて、このアース端子４５ａは渡り配線５６を介して照明ユニット４０の他方に設けたアース端子４５ｂと接続されている。
【００８１】
照明ユニット４０の両側にそれぞれ電源端子４１、４３、アース端子４５を設けているのは、照明ユニット４０を横方向に複数配設する場合に、隣接する照明ユニット４０間の電源やアースの接続を容易にするためである。
【００８２】
このように、光源装置１を用いた照明ユニット４０をコストが安価で、所望の色度を照明光とした照明装置を提供することができる。
また、光源装置１を複数横方向に配設して照明ユニット４０を構成し、この照明ユニット４０を用いることで、先の実施形態と同様に、商品の種類に応じた色度を出射でき、どのような種類の商品でも商品に応じて所望の色度を出射できる照明装置を提供することができる。
【００８３】
図２５は、上記照明ユニット４０を複数、例えば３つの照明ユニット４０を横方向にショーケース５０内の上部に配設した場合を示している。ショーケース５０内には、例えば、お肉、魚、果物などの食品や、衣服などの商品が配されたり、展示されたりしている。
この商品に上方から照明ユニット４０から光を照射し、商品の種類に応じて該商品が一番見映えが良い色度となるように照明ユニット４０から光を照射するものである。
【００８４】
光を照射することで、商品が一番見映え良くするための任意の色度となるように、照明ユニット４０に印加する直流電源Ｖ１、Ｖ２（＋Ｂ、＋Ｒ）を可変させる。そして、その時の順方向電流ＩＦを計測し、その順方向電流ＩＦとなるように直流電源Ｖ１、Ｖ２（＋Ｂ、＋Ｒ）の直流電圧とから発光部２と直列に接続される抵抗の抵抗値を設定する。
【００８５】
なお、色度を任意に変更可能なように、直流電源Ｖ１、Ｖ２（＋Ｂ、＋Ｒ）の直流電圧を可変状態としておいても良いが、所望の色度に対応した抵抗値の抵抗を固定するようにしておいても良い。
【００８６】
ここで、複数の発光部２に対して抵抗を１つだけにすると、抵抗での消費電力が大きくなり、かかる消費電力に対応した抵抗を使用するとすると、大きな容量の抵抗が必要となる。
本実施形態では、チップ抵抗を用いるようにしたものであり、そのため、必要な抵抗値を使用する抵抗の数（本実施形態では６個）で割った抵抗値の抵抗（Ｒ１〜Ｒ５、Ｒ６〜Ｒ１０）を用いている。
【００８７】
これにより、各抵抗Ｒ１〜Ｒ５、Ｒ６〜Ｒ１０での消費電力を小さくすることができ、抵抗に大きな容量の抵抗を用いることなく、小さな容量のチップ抵抗を用いることができる。
これにより、照明ユニット４０の小型化を図ることができる。
【００８８】
図２５では、照明ユニット４０を３つ直列に接続するようにしていたが、３つに限定されるものではなく、任意の数の照明ユニット４０を直列に接続するようにしても良いものである。
【００８９】
図２６は照明ユニット４０の他の実施形態を示しており、照明ユニット４０内には赤色光ＬＥＤチップ２５Ｒと青色光ＬＥＤチップ２４Ｂだけを設けている。赤色光ＬＥＤチップ２５Ｒを複数個直列に接続した赤色ＬＥＤ回路６０と、青色光ＬＥＤチップ２４Ｂを複数個直列に接続した回路を並列に接続した青色ＬＥＤ回路６１とで構成している。
【００９０】
この照明ユニット４０を上述のように複数個直列に接続しても良く、また、照明ユニット４０を複数個並列に接続するようにしても良い。
【００９１】
図２７は、照明ユニット４０を複数個並列に接続し、各照明ユニット４０の赤色光ＬＥＤチップ２５Ｒと青色光ＬＥＤチップ２４Ｂの発光スペクトルを同時に可変せしめ、各照明ユニット４０から照射される色度を所望の調色光を得るようにしたものである。
【００９２】
照明ユニット４０を複数個並列に配置し、各照明ユニット４０の赤色ＬＥＤ回路６０と青色ＬＥＤ回路６１とを接続し、赤色ＬＥＤ回路６０と電源＋Ｖとの間には赤色発光スペクトル強度制御コントローラ６５を設けている。また、青色ＬＥＤ回路６１と電源＋Ｖとの間には青色発光スペクトル強度制御コントローラ６６を設けている。
なお、図２７では、赤色発光スペクトル強度制御コントローラ６５と青色発光スペクトル強度制御コントローラ６６とに個別に電源＋Ｖを設けているが、同一の電源＋Ｖから供給するようにしても良い。また、青色光ＬＥＤチップ２４Ｂの直列回路を２つ並列に接続しているが、直列回路を１つにしても良い。
【００９３】
赤色発光スペクトル強度制御コントローラ６５及び青色発光スペクトル強度制御コントローラ６６では、各照明ユニット４０の赤色光ＬＥＤチップ２５Ｒと青色光ＬＥＤチップ２４Ｂに流す電流値を可変させる制御方法として、上述した電源の種類に応じて、例えば、ＰＷＭ方式や、抵抗器方式としている。
赤色発光スペクトル強度制御コントローラ６５及び青色発光スペクトル強度制御コントローラ６６を同時に、あるいは個別に制御することで、各照明ユニット４０からは所望の色度を得た調色光を商品の種類に応じて照射することができる。
【００９４】
このように、図２７では、照明ユニット４０を並列に複数個を配置し、複数個の照明ユニット４０を赤色発光スペクトル強度制御コントローラ６５及び青色発光スペクトル強度制御コントローラ６６にて一括して制御していることで、照明ユニット４０の数に関係なく、赤色発光スペクトル強度制御コントローラ６５及び青色発光スペクトル強度制御コントローラ６６の２台のコントローラにて所望の色度の調色光を得ることができる。
【００９５】
図２７では、照明ユニット４０を複数個並列に接続している場合であったが、照明ユニット４０を複数個直列に接続する場合でも、照明ユニット４０を複数個並列に接続している場合と同様の効果を奏するものである。
【００９６】
なお、図２６及び図２７では、照明ユニット４０の構成を赤色光ＬＥＤチップ２５Ｒと青色光ＬＥＤチップ２４Ｂとの場合を示しているが、青色光ＬＥＤチップ２４Ｂと、緑色光ＬＥＤチップ２８Ｇあるいは橙色光ＬＥＤチップ２９Ｏの場合にも適用することができ、かかる場合も同様の効果を奏するものである。
【００９７】
ここで、緑色光ＬＥＤチップ２８Ｇを複数個直列に接続した場合の回路を、緑色光ＬＥＤ回路とし、赤色発光スペクトル強度制御コントローラ６５の代わりに、緑色発光スペクトル強度制御コントローラと称する。
また、橙色光ＬＥＤチップ２９Ｏを複数個直列に接続した場合の回路を、橙色光ＬＥＤ回路とし、赤色発光スペクトル強度制御コントローラ６５の代わりに、橙色発光スペクトル強度制御コントローラと称する。
【００９８】
また、青色光ＬＥＤチップ２４Ｂ1 、２４Ｂ2 及び前記赤色光ＬＥＤチップ２５Ｒあるいは緑色光ＬＥＤチップ２８Ｇ、あるいは橙色光ＬＥＤチップ２９Ｏは、１個あるいは複数であって、任意の箇所にランダムに配置する場合には、多数のＬＥＤチップを配置する場合でも、配置が容易であり、また、光源装置の製造時間も短時間で行なうことができる。
【符号の説明】
【００９９】
１  光源装置
２  発光部
３  点灯回路
２４Ｂ（２４Ｂ1 、２４Ｂ2 ）  青色光ＬＥＤチップ
２５Ｒ  赤色光ＬＥＤチップ
２６  蛍光体
２８Ｇ  緑色光ＬＥＤチップ
２９Ｏ  橙色光ＬＥＤチップ
【図１】
2015153945.tif 000003
【図２】
2015153945.tif 000004
【図３】
2015153945.tif 000005
【図４】
2015153945.tif 000006
【図５】
2015153945.tif 000007
【図６】
2015153945.tif 000008
【図７】
2015153945.tif 000009
【図８】
2015153945.tif 000010
【図９】
2015153945.tif 000011
【図１０】
2015153945.tif 000012
【図１１】
2015153945.tif 000013
【図１２】
2015153945.tif 000014
【図１３】
2015153945.tif 000015
【図１４】
2015153945.tif 000016
【図１５】
2015153945.tif 000017
【図１６】
2015153945.tif 000018
【図１７】
2015153945.tif 000019
【図１８】
2015153945.tif 000020
【図１９】
2015153945.tif 000021
【図２０】
2015153945.tif 000022
【図２１】
2015153945.tif 000023
【図２２】
2015153945.tif 000024
【図２３】
2015153945.tif 000025
【図２４】
2015153945.tif 000026
【図２５】
2015153945.tif 000027
【図２６】
2015153945.tif 000028
【図２７】
2015153945.tif 000029